(57)【要約】【課題】簡単に、美しく人物等の主被写体が写り、かつ背景も自然な色あいになる発光撮影をすることを可能にした撮像装置を提供する。【解決手段】撮像装置は、色温度を変えて発光が可能な発光装置と、環境光の色温度を取得する取得手段（Ｓ３０２）と、主被写体を検出する検出手段（Ｓ３０４、Ｓ３０６，Ｓ３０８）と、撮影した画像のホワイトバランスを調整する調整手段（Ｓ３１０）と、撮影時に前記検出手段によって前記主被写体を検出した場合、前記取得手段によって取得した前記色温度に応じて、あらかじめ定めた所定量だけ低くした色温度で前記発光装置を発光させて撮影を行い（Ｓ３１３）、撮影した画像の前記調整手段によるホワイトバランスの調整を前記取得した前記色温度で行う制御手段と、を備える。【選択図】図３
2019028338.tif 000002
【特許請求の範囲】
【請求項１】
色温度を変えて発光が可能な発光装置を用いた撮影が可能な撮像装置であって、
環境光の色温度を取得する取得手段と、
主被写体を検出する検出手段と、
撮影した画像のホワイトバランスを調整する調整手段と、
撮影時に前記検出手段によって前記主被写体を検出した場合、前記取得手段によって取得した前記色温度に応じて、あらかじめ定めた所定量だけ低くした色温度で前記発光装置を発光させて撮影を行い、撮影した画像の前記調整手段によるホワイトバランスの調整を前記取得した前記色温度で行う制御手段と、を備えることを特徴とする撮像装置。
【請求項２】
前記制御手段は、前記取得した前記色温度があらかじめ定められた所定の範囲外であった場合、あらかじめ定められた所定の範囲内の色温度で前記発光装置を発光させて撮影を行い、撮影した画像の前記調整手段によるホワイトバランスの調整を行うことを特徴とする請求項１に記載の撮像装置。
【請求項３】
前記発光装置による予備発光の測光結果から撮影時の本発光の発光量を決定する決定手段を備え、
前記制御手段は、前記検出手段が前記予備発光の測光結果から前記主被写体を検出した場合、前記取得した前記色温度に応じて、あらかじめ定めた所定量だけ低くした色温度で前記発光装置の再度の予備発光および前記発光装置の本発光による撮影を行うことを特徴とする請求項１に記載の撮像装置。
【請求項４】
前記発光装置による予備発光の測光結果から撮影時の本発光の発光量を決定する決定手段を備え、
前記前記検出手段が前記予備発光の測光結果から前記主被写体を検出した場合、前記取得した前記色温度に応じて、あらかじめ定めた所定量だけ低くした色温度で前記発光装置を本発光させて撮影を行うことを特徴とする請求項１に記載の撮像装置。
【請求項５】
環境光の色温度を検出する色温度検出手段を備え、
前記取得手段は、前記色温度検出手段によって検出した前記色温度を取得することを特徴とする請求項１乃至４のいずれか一項に記載の撮像装置。
【請求項６】
色温度を変えて発光が可能な発光装置を用いた撮影が可能な撮像装置であって、
主被写体を検出する検出手段と、
撮影した画像のホワイトバランスを調整する調整手段と、
撮影時に前記検出手段によって前記主被写体を検出した場合、前記発光装置を発光させる際の色温度の固定値としてあらかじめ定めた色温度で前記発光装置を発光させて撮影を行い、撮影した画像の前記調整手段によるホワイトバランスの調整を前記ホワイトバランスを調整する際の色温度の固定値としてあらかじめ定めた色温度で行う制御手段と、を備えることを特徴とする撮像装置。
【請求項７】
前記検出手段は、人物の顔を前記主被写体として検出することを特徴とする請求項１乃至６のいずれか一項に記載の撮像装置。
【請求項８】
前記発光装置は、前記撮像装置に対して着脱可能であることを特徴とする請求項１乃至７のいずれか一項に記載の撮像装置。
【請求項９】
色温度を変えて発光が可能な発光装置を用いた撮影が可能な撮像装置の制御方法であって、
環境光の色温度を取得する取得ステップと、
主被写体を検出する検出ステップと、
撮影した画像のホワイトバランスを調整する調整ステップと、
撮影時に前記検出ステップで前記主被写体を検出した場合、前記取得ステップで取得した前記色温度に応じて、あらかじめ定めた所定量だけ低くした色温度で前記発光装置を発光させて撮影を行い、撮影した画像の前記調整ステップでのホワイトバランスの調整を前記取得した前記色温度で行う制御ステップと、を備えることを特徴とする撮像装置の制御方法。
【請求項１０】
色温度を変えて発光が可能な発光装置を用いた撮影が可能な撮像装置の制御方法であって、
主被写体を検出する検出ステップと、
撮影した画像のホワイトバランスを調整する調整ステップと、
撮影時に前記検出ステップで前記主被写体を検出した場合、前記発光装置を発光させる際の色温度の固定値としてあらかじめ定めた色温度で前記発光装置を発光させて撮影を行い、撮影した画像の前記調整ステップでのホワイトバランスの調整を前記ホワイトバランスを調整する際の色温度の固定値としてあらかじめ定めた色温度で行う制御ステップと、を備えることを特徴とする撮像装置の制御方法。
【請求項１１】
請求項９に記載の撮像装置の制御方法の各ステップをコンピュータに実行させることを特徴とするプログラム。
【請求項１２】
請求項１０に記載の撮像装置の制御方法の各ステップをコンピュータに実行させることを特徴とするプログラム。
【発明の詳細な説明】
【技術分野】
【０００１】
本発明は、デジタルカメラ等の撮像装置における発光制御技術に関する。
【背景技術】
【０００２】
デジタルカメラ等の撮像装置でストロボ撮影を行う際に、人物の肌が自然な色になるように撮影するためには、撮影者の知識や追加アクセサリが必要であり、一般的なカメラユーザにとっては難しい。具体的には、ストロボ光の発光色温度をカラーフィルタで調整したり、撮影画像のホワイトバランス設定を撮影意図に合わせて設定したりするなどの行為が必要となる。
【０００３】
一方、ストロボ装置の光源として、キセノン管に加え、ＬＥＤ（発光ダイオード）が採用され始めている。例えば、複数の色温度が異なるＬＥＤを組み合わせてストロボユニットを構成すると、色温度別にＬＥＤの明るさを制御することにより、カラーフィルタなどを用いることなく、容易に発光色温度可変なストロボ装置を実現することができる。
【０００４】
色温度が可変なストロボ装置を用いた技術として、特定の被写体を撮影するのに適した色温度が記憶された記憶手段を有するものが提案されている（特許文献１）。この提案では、ユーザが撮影する被写体（例えば人物、花など）を設定すると、設定された被写体を撮影する場合に最適な色温度が記憶手段から読み出される。そして、読み出された色温度でストロボ撮影を行うことで、誰もが簡単に美しい色調の画像を取得することができるとしている。
【先行技術文献】
【特許文献】
【０００５】
【特許文献１】特開２００３−２１５６７５号公報
【発明の概要】
【発明が解決しようとする課題】
【０００６】
しかし、上記特許文献１では、ストロボ撮影時に、ユーザが設定した主被写体に合わせた色温度で発光するため、主被写体と背景の色温度が著しく異なると、主被写体は綺麗だが、背景の色合いが不自然になるという問題がある。
【０００７】
そこで、本発明は、簡単に、美しく人物等の主被写体が写り、かつ背景も自然な色あいになる発光撮影をすることを可能にした撮像装置の発光制御技術を提供することを目的とする。
【課題を解決するための手段】
【０００８】
上記目的を達成するために、本発明は、色温度を変えて発光が可能な発光装置を用いた撮影が可能な撮像装置であって、環境光の色温度を取得する取得手段と、主被写体を検出する検出手段と、撮影した画像のホワイトバランスを調整する調整手段と、撮影時に前記検出手段によって前記主被写体を検出した場合、前記取得手段によって取得した前記色温度に応じて、あらかじめ定めた所定量だけ低くした色温度で前記発光装置を発光させて撮影を行い、撮影した画像の前記調整手段によるホワイトバランスの調整を前記取得した前記色温度で行う制御手段と、を備えることを特徴とする。
【０００９】
また、本発明は、色温度を変えて発光が可能な発光装置を用いた撮影が可能な撮像装置であって、主被写体を検出する検出手段と、撮影した画像のホワイトバランスを調整する調整手段と、撮影時に前記検出手段によって前記主被写体を検出した場合、前記発光装置を発光させる際の色温度の固定値としてあらかじめ定めた色温度で前記発光装置を発光させて撮影を行い、撮影した画像の前記調整手段によるホワイトバランスの調整を前記ホワイトバランスを調整する際の色温度の固定値としてあらかじめ定めた色温度で行う制御手段と、を備えることを特徴とする。
【発明の効果】
【００１０】
本発明によれば、簡単に、美しく人物等の主被写体が写り、かつ背景も自然な色あいになる発光撮影を可能にした撮像装置の発光制御技術を提供することができる。
【図面の簡単な説明】
【００１１】
【図１】本発明の撮像装置の実施形態の一例であるデジタル一眼レフカメラの概略断面図である。
【図２】ストロボユニットの発光部の概略図である。
【図３】ストロボ撮影時におけるストロボユニットの発光制御について説明するフローチャート図である。
【発明を実施するための形態】
【００１２】
以下、図面を参照して、本発明の実施形態の一例を説明する。
【００１３】
図１は、本発明の撮像装置の実施形態の一例であるデジタル一眼レフカメラの概略断面図である。
【００１４】
本実施形態のデジタル一眼レフカメラ（以下、カメラという。）は、図１に示すように、カメラ本体１００の正面側にレンズユニット２００が着脱可能に装着され、カメラ本体１００の上面部にストロボユニット３００が着脱可能に装着されている。
【００１５】
カメラ本体１００は、カメラ全体の制御を司るＣＰＵ１０１を備え、ＣＰＵ１０１には、ＲＡＭやＲＯＭ等から構成されるメモリ１０２が接続されている。ＣＰＵ１０１は、例えばストロボユニット３００に対して後述する発光色温度、発光量の指示を行う。撮像素子１０３は、赤外カットフィルタやローパスフィルタ等を含むＣＣＤセンサやＣＭＯＳセンサ等で構成され、撮像素子１０３には、レンズユニット２００の撮影光学系を通過した被写体像が結像される。
【００１６】
シャッタ１０４は、非撮影時には撮像素子１０３を遮光し、撮影時には開いて撮像素子１０３へ被写体光束を導く。本実施形態では、シャッタ１０４は、先幕と後幕でスリットを形成して走行させることで露光を行う、メカニカルなフォーカルプレーンシャッタとし、ストロボ撮影においては、ストロボユニット３００の発光部の発光タイミングに合わせて先幕、後幕が走行する。
【００１７】
ハーフミラー１０５は、非撮影時にレンズユニット２００を介して入射する被写体像の一部を反射してピント板１０６に結像させる。表示素子１０７は、ＰＮ液晶等で構成され、ユーザは光学ファインダを覗いた際に、表示素子１０７に表示された各種撮影情報を確認することができる。測光センサ１０８は、ＣＣＤセンサやＣＭＯＳセンサ等の撮像素子を用いて測光を行う。本実施形態では、ストロボ光の調光にも測光センサ１０８を用いており、その詳細については後述する。
【００１８】
ペンタプリズム１０９は、ピント板１０６に結像した被写体像を測光センサ１０８及び光学ファインダに導く。測光センサ１０８は、ペンタプリズム１０９を介してピント板１０６に結像した被写体像を斜め方向の位置から見込んでいる。サブミラー１１１は、レンズユニット２００の撮影光学系を介して入射してハーフミラー１０５を通過した被写体光を焦点検出回路１１０のＡＦセンサに導き、測距を行う。
【００１９】
ＩＣＰＵ１１２は、測光センサ１０８や撮像素子１０３の駆動制御や画像処理・演算を行うＣＰＵである。ここでは、ＩＣＰＵ１１２は、測光演算や測光センサ１０８で取得した画像から人物の顔（主被写体）を検出する処理、更には撮像素子１０３で撮像した画像に対するホワイトバランス調整処理なども行う。ＩＣＰＵ１１２には、ＲＡＭやＲＯＭ等で構成されるメモリ１１３が接続されている。
【００２０】
レンズユニット２００は、複数のレンズや絞り等で構成される撮影光学系、レンズや絞り等を駆動する各種駆動装置、及びＬＰＵ２０１を備える。ＬＰＵ２０１は、被写体との距離情報や絞り情報などをカメラ本体１００のＣＰＵ１０１に送るＣＰＵである。なお、レンズユニット２００は、カメラ本体１００と一体に構成されていてもよい。
【００２１】
ストロボユニット３００は、発光部やＳＰＵ３０１等を備える。ＳＰＵ３０１は、ストロボ発光に関する制御や、カメラ本体１００のＣＰＵ１０１と通信を行うことで、色温度や発光量に関する情報をカメラ本体１００とやり取りするＣＰＵである。本実施形態では、ストロボユニット３００とカメラ本体１００は、それぞれに連結用の電気的な接点群（不図示）を有し、この接点群を介して接続／分離が可能な構成とする。なお、ストロボユニット３００は、カメラ本体１００と一体に構成されていてもよい。
【００２２】
また、ストロボユニット３００の発光部は、図２に示すように、２種類の色温度の異なる複数のＬＥＤから構成されている。各ＬＥＤは、正方形状をなし、高色温度のＬＥＤと低色温度のＬＥＤとが市松状に複数レイアウトされている。ＳＰＵ３０１は、高色温度ＬＥＤと低色温度ＬＥＤの明るさの比率を制御することで、両者の間の色温度の光を得ることができる。ＬＥＤの明るさは、駆動電流、もしくはデューティー比を制御することで、実現することができ、これにより発光色温度が可変となる。なお、２種類のＬＥＤのレイアウトや数の比率は図２に限定されない。また、Ｒ，Ｇ，Ｂの３種類のＬＥＤであってもよい。
【００２３】
次に、図３を参照して、ストロボ撮影時におけるストロボユニット３００の発光制御について説明する。なお、図３の各処理は、カメラ本体１００のメモリ１０２のＲＯＭ等に記憶されたプログラムがＲＡＭに展開されて、ＣＰＵ１０１がＩＣＰＵ１１２やストロボユニット３００のＳＰＵ３０１と通信を行うことにより実行される。また、ここでのストロボ撮影は、ホワイトバランス調整をＩＣＰＵ１１２が自動的に行う、オートホワイトバランスの設定でのストロボ撮影とする。
【００２４】
図３において、ステップＳ３０１では、ＣＰＵ１０１は、ストロボ撮影を行う指示がユーザからなされると、定常光測光を行い、ステップＳ３０２に進む。定常光測光とは、ストロボ発光前に撮影環境の明るさを測光するもので、測光センサ１０８で撮像を行い、この画像をＩＣＰＵ１１２で解析することにより、被写界の明るさや人物の顔の有無を検出する。
【００２５】
ステップＳ３０２では、ＣＰＵ１０１は、測光センサ１０８で撮像した画像を用いて被写体環境の色温度を検出し、ステップＳ３０３に進む。検出色温度は、測光センサ１０８で撮像し、Ａ／Ｄ変換された画像データをＩＣＰＵ１１２が色温度解析することで得られる。検出した色温度を、ここではＣＣＴ１とする。
【００２６】
ステップＳ３０３では、ＣＰＵ１０１は、ステップＳ３０２で検出した色温度ＣＣＴ１が３０００〜７０００［Ｋ］の間の範囲にあるか否かを判定し、範囲内の場合は、ステップＳ３０４に進み、範囲外の場合は、ステップＳ３１４に進む。
【００２７】
多くの撮影環境において、その色温度ＣＣＴ１が３０００〜７０００［Ｋ］の範囲内である考えられ、この範囲外の色温度検出結果は、何らかの原因により誤検知の可能性がある。もしくは、仮にかなり低めの２５００［Ｋ］などを検出して、後にホワイトバランス調整を行うと、画面全体に赤の色が抜けてしまう現象も起こりうる。これらの現象を防ぐため、検出した色温度にリミッターを設けている。本実施形態では、色温度ＣＣＴ１が３０００〜７０００［Ｋ］がオートホワイトバランスの連動範囲とする。
【００２８】
ステップＳ３０３〜ステップＳ３１０の処理は、基本的に人物の顔が非検出の場合、即ち、ステップＳ３０４、ステップＳ３０６及びステップＳ３０８でＮｏの場合のストロボ撮影処理シーケンスである。ステップＳ３０４、ステップＳ３０６及びステップＳ３０８でＹｅｓの場合の処理は、後述するので、まず、ステップＳ３０５、ステップＳ３０７、ステップＳ３０９及びステップＳ３１０の処理について説明する。
【００２９】
本実施形態のストロボ撮影においては、被写体の環境光と同じ色温度でストロボ発光、撮影を行うことで、より自然な画像を得る。ストロボ撮影時の特有の処理として、撮影時の発光（本発光）の発光量を見積もるため、プリ発光（予備発光）を行う。
【００３０】
ここで、本実施形態では、ストロボ非発光での測光センサ１０８の出力（以下、プリ前測光という。）と、所定量で発光するプリ発光の測光センサ１０８の出力（以下、プリ測光という。）を取得し、両者の差を計算する。
【００３１】
プリ発光とプリ前測光の測光センサ１０８の出力の差分から、プリ発光が被写体に及ぼす明るさの変化を算出することができる。また、ステップＳ３０１の定常光測光の結果で、もともとの被写体の明るさが分かっているため、これらから、撮影時の適切な発光量である本発光量を計算する。
【００３２】
具体的には、ＣＰＵ１０１は、ステップＳ３０５では、ストロボ非発光で測光センサ１０８でプリ前測光を行い、ステップＳ３０７では、ストロボユニット３００のＳＰＵ３０１を制御してＣＣＴ１でプリ発光を行うとともに、測光センサ１０８でプリ測光を行う。
【００３３】
ステップＳ３０９では、ＣＰＵ１０１は、ステップＳ３０１での定常光測光、ステップＳ３０５でのプリ前測光、及びステップＳ３０７でのプリ測光の各測光結果から本発光量を計算する。そして、ＣＰＵ１０１は、ストロボユニット３００のＳＰＵ３０１を制御して色温度ＣＣＴ１で本発光して撮影を行う。
【００３４】
ステップＳ３１０では、ＣＰＵ１０１は、ステップＳ３０９で撮影した画像に対しては、ＩＣＰＵ１１２によりＣＣＴ１の色温度でホワイトバランス調整を行い、処理を終了する。これにより、自然な色の画像を得ることができる。
【００３５】
次に、ステップＳ３０４、ステップＳ３０６及びステップＳ３０８でＹｅｓの場合の処理、即ち、人物の顔を検出した場合の処理について説明する。顔検出処理の対象となる画像は、ステップＳ３０１の定常光測光時に測光センサ１０８で取得した画像、ステップＳ３０５のプリ前測光で測光センサ１０８で取得した画像、ステップＳ３０７のプリ測光で測光センサ１０８で取得した画像の３つの画像が考えられる。
【００３６】
すなわち、ＣＰＵ１０１は、これらの画像を取得するごとにＩＣＰＵ１１２にて顔検出処理を行い、ステップＳ３０４で顔を検出した場合は、ステップＳ３０４ａに移行してストロボ非発光で測光センサ１０８によりプリ前測光を行い、ステップＳ３１１に進む。また、ステップＳ３０６及びステップＳ３０８で顔を検出した場合は、ステップＳ３１１に進む。ステップＳ３１１以降の処理は、顔を美しくストロボ撮影するための処理である。
【００３７】
なお、ステップＳ３０４だけではなく、ステップＳ３０６、ステップＳ３０８でも顔検出処理を行うのは、パンニングなどで構図が変わった場合を考慮したものである。また、ステップＳ３０７ではプリ発光を行うため、発光なしでは暗くて検出できなかった顔もステップＳ３０８で検出できる可能性があるためである。
【００３８】
ステップＳ３１１の処理の説明の前に、ストロボ撮影において、顔を美しく撮影する方法について説明する。人物の肌は、多少、赤味が残って映っている方が、健康的で美しく見えるため、ストロボ光の色温度を環境光の色温度より多少低めの色温度に設定し、撮影後のホワイトバランス調整は、環境光の色温度で調整する。
【００３９】
これにより、ストロボ光の届かない背景は、環境光の色温度でホワイトバランス調整されて自然な色となり、ストロボ光の届く範囲にある人物については、若干赤味を残した画像を得ることができる。
【００４０】
次に、ステップＳ３１１〜ステップＳ３１３の処理を説明する。まず、ステップＳ３１１では、ＣＰＵ１０１は、ストロボ光の発光色温度を、被写体環境光の色温度ＣＣＴ１からどれだけ低くするかのオフセット量Ａを決定する。
【００４１】
前述したように、顔検出時のストロボ光の発光色温度は、被写体環境光の色温度より多少低めに設定すればよいので、例えば「Ａ＝−５００」と設定し、ＣＣＴ１＋Ａ［Ｋ］でストロボ発光すればよい。ここでは簡単にＡ＝−５００としたが、Ａの値をユーザが任意に設定できるようにしてもよいし、ステップＳ３０２で検出したＣＣＴ１に応じて、Ａの値を変更してもよい。
【００４２】
また、例えばオートホワイトバランス時の例外的な処理として、ＣＣＴ１が所定より低い色温度だった場合は、雰囲気を重視するため、わざとホワイトバランス調整後の画像全体に赤味を残すような処理を行う場合がある。これは、夕景の写真などで、雰囲気を損なわないよう、画面全体に赤みを残す効果を狙ったものである。このような場合も「Ａ＝−５００」としてストロボ発光を行うと、画面全体に赤みが残る上、ストロボ光が届く人物などは、更に赤く写ることになってしまう。
【００４３】
そこで、このような雰囲気重視の処理が行われる場合は、オフセット量Ａを減らす処理を行う。単純に雰囲気重視処理を行う場合は「Ａ＝０」としてもよいし、雰囲気重視処理でホワイトバランス調整を行う色温度を、ＣＣＴ１よりもＢ［Ｋ］ずらすのであれば「Ａ＝−５００＋Ｂ」として連動させてもよい。そして、ＣＰＵ１０１は、発光色温度のオフセット量Ａを決定したら、ステップＳ３１２へ進む。
【００４４】
ステップＳ３１２では、ＣＰＵ１０１は、ステップＳ３１１で決定した発光色温度ＣＣＴ１＋Ａ［Ｋ］でプリ発光を行う。通常、プリ発光の測光結果を用いて本発光量を決定する、本実施形態のようなストロボ撮影システムにおいては、プリ発光と本発光は、同じ色温度（分光特性）でないと、被写体の色などの影響を受けてしまうため、正確な調光を行えない。
【００４５】
そこで、例えばＣＣＴ１［Ｋ］でプリ発光を行うステップＳ３０７を経由してステップＳ３１１に移行する場合においても、本発光を行う色温度ＣＣＴ１＋Ａ［Ｋ］にて再度プリ発光をやり直す。そして、ＣＰＵ１０１は、色温度ＣＣＴ１＋Ａ［Ｋ］でプリ発光を行ったら、ステップＳ３１３に進む。ただし、プリ発光をやり直すことによって、時間的、電力的なロスは免れない。そこで、既にステップＳ３０７でＣＣＴ１でのプリ発光結果を取得している場合は、多少の調光精度を犠牲にして、ステップＳ３１２を省略してもよい。
【００４６】
ステップＳ３１３では、ＣＰＵ１０１は、ストロボユニット３００のＳＰＵ３０１を制御して色温度ＣＣＴ１＋Ａ［Ｋ］で本発光と撮影動作を行い、ステップＳ３１０に進む。
【００４７】
ここでの本発光量は、ステップＳ３０４を経由してステップＳ３１１に移行する場合は、ステップＳ３０１での定常光測光、ステップＳ３０４ａでのプリ前測光及びステップＳ３１２でのプリ測光の各測光結果から本発光量を計算する。また、ステップＳ３０６を経由してステップＳ３１１に移行する場合は、ステップＳ３０１での定常光測光、ステップＳ３０５でのプリ前測光、及びステップＳ３１２でのプリ測光の各測光結果から本発光量を計算する。更に、ステップＳ３０８を経由してステップＳ３１１に移行した場合は、ステップＳ３０１での定常光測光、ステップＳ３０５でのプリ前測光、及びステップＳ３０７又はステップＳ３１２でのプリ測光の各測光結果から本発光量を計算する。
【００４８】
ステップＳ３１０では、ＣＰＵ１０１は、ステップＳ３１３で撮影した画像に対しては、ＩＣＰＵ１１２によりＣＣＴ１の色温度でホワイトバランス調整を行い、処理を終了する。これにより、自然な色の画像を得ることができる。なお、前述した雰囲気重視処理などを行う場合はこの限りではなく、ＣＣＴ１＋Ｂ［Ｋ］など、他の色温度でホワイトバランス調整する場合もありうる。
【００４９】
次に、ステップＳ３０３において、ステップＳ３０２で検出した色温度ＣＣＴ１が３０００〜７０００［Ｋ］の間の範囲外の場合の処理であるステップＳ３１４〜ステップＳ３１８について説明する。
【００５０】
ステップＳ３１４では、ＣＰＵ１０１は、ステップＳ３０５と同様に、ストロボ非発光で測光センサ１０８によりプリ前測光を行い、ステップＳ３１５に進む。
【００５１】
ステップＳ３１５では、ＣＰＵ１０１は、ストロボ発光やホワイトバランス調整を行う色温度ＣＣＴ２を決定する処理を行い、ステップＳ３１６に進む。前述したように、ステップＳ３０２での色温度検出結果が極端に低い、又は極端に高い場合は、環境光の色温度の誤検出などが疑われる。そこで、例えば検出した色温度ＣＣＴ１が２０００［Ｋ］などステップＳ３０３の判定範囲より低ければ、ＣＣＴ２＝３０００［Ｋ］として、ステップＳ３０３の判定範囲の下限値にクリップする。逆に、検出した色温度ＣＣＴ１が８０００［Ｋ］などステップＳ３０３の判定範囲より高ければ、ＣＣＴ２＝７０００［Ｋ］として、Ｓ１０３の判定範囲の上限値にクリップする処理を行う。
【００５２】
ここでは、ステップＳ３０３の判定閾値の上限／下限値にクリップして色温度ＣＣＴ２を決定したが、例えば、日常生活での一般的な環境光の色温度としてＣＣＴ２＝５０００［Ｋ］としてもよい。
【００５３】
ステップＳ３１６では、ＣＰＵ１０１は、ストロボユニット３００のＳＰＵ３０１を制御してステップＳ３１５で決定した色温度ＣＣＴ２でプリ発光を行うとともに、測光センサ１０８でプリ測光を行い、ステップＳ３１７に進む。
【００５４】
ステップＳ３１７では、ＣＰＵ１０１は、ストロボユニット３００のＳＰＵ３０１を制御してステップＳ３１５で決定した色温度ＣＣＴ２で本発光と撮影動作を行い、ステップＳ３１８に進む。ここでの本発光量は、ステップＳ３０１での定常光測光、ステップＳ３１４でのプリ前測光、及びステップＳ３１６でのプリ測光の各測光結果から本発光量を計算する。
【００５５】
ステップＳ３１８では、ＣＰＵ１０１は、ステップＳ３１７で撮影した画像に対して、ＩＣＰＵ１１２によりステップＳ３１５で決定した色温度ＣＣＴ２でホワイトバランス調整を行い、処理を終了する。これにより、自然な色の画像を得ることができる。
【００５６】
以上説明したように、本実施形態では、簡単に、美しく人物等の被写体が写り、かつ背景も自然な色あいになるストロボ発光撮影を可能にしたカメラの発光制御技術を提供することができる。
【００５７】
なお、本発明は、上記実施形態に例示したものに限定されるものではなく、本発明の要旨を逸脱しない範囲において適宜変更可能である。
【００５８】
例えば上記実施形態では、顔を検出した場合は、ストロボ発光：ＣＣＴ１＋Ａ［Ｋ］、ホワイトバランス調整：ＣＣＴ１［Ｋ］として処理しているが、これに限定されない。例えば、より単純に、顔を撮影する際に最も理想的なストロボ光色温度ＣＣＴ３（固定値）とホワイトバランス温度ＣＣＴ４（固定値）を予めメモリ１０２やメモリ１１３に記憶しておくようにしてもよい。即ち、ストロボ発光：ＣＣＴ３［Ｋ］、ホワイトバランス調整：ＣＣＴ４［Ｋ］としてステップＳ３１１〜ステップＳ３１３及びステップＳ３１０の処理を行うようにしてもよい。
【００５９】
また、プリ発光の前にステップＳ３０５、Ｓ３０４ａ、Ｓ３１４でプリ前測光を行うことで、本発光量の計算精度を向上させることができるが、プリ前測光を行わずにステップＳ３０１の測光結果を代用して本発光量を計算してもよい。
【００６０】
また、本発明は、以下の処理を実行することによっても実現される。即ち、本発明は、上述の実施形態の１以上の機能を実現するプログラムをネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００６１】
１００  カメラ本体
１０１  ＣＰＵ
１０８  測光センサ
１１２  ＩＣＰＵ
３００  ストロボユニット
３０１  ＳＰＵ
【図１】
2019028338.tif 000003
【図２】
2019028338.tif 000004
【図３】
2019028338.tif 000005